(57)【要約】  回転軸に生ずる繰返し荷重が少なく、高度の振動安定性と低騒音性を有する片持式垂直軸風車を提供することを目的とする。  風力により回転トルクを発生する垂直軸風車１０の外輪側回転体１７と、ラジアル方向の力を軸支する軸受３０ａ，３０ｂ，３０ｃを介して垂直軸風車１０の外輪側回転体１７を支持する片持式の内輪側固定柱１４と、垂直軸風車１０の外輪側回転体１７に風力が作用する風圧中心位置を跨いだ位置に存在して、外輪側回転体１７と内輪側固定柱１４とを軸支する軸受３０ａ，３０ｂ，３０ｃとを備えた。【特許請求の範囲】
【請求項１】
複数のブレードを有し、風力により回転トルクを発生する外輪側回転体と、
一方の端が外部に拘束されない自由端で他方の端が固定端である１本の内輪側固定柱と、
前記外輪側回転体と前記内輪側固定柱との間に装着され、内輪側固定柱上で前記外輪側回転体を支える複数の軸受とを備えたことを特徴とする片持式垂直軸風車。
【請求項２】
複数のブレードを有し、風力により回転トルクを発生する外輪側回転体と、
一方の端が外部に拘束されない自由端で他方の端が固定端である１本の内輪側固定柱と、
前記外輪側回転体と前記内輪側固定柱との間に装着され、内輪側固定柱上で前記外輪側回転体を支える複数の軸受とを備え、
前記軸受を、前記外輪側回転体に水平方向の風力が作用する風圧中心位置よりも上側に少なくとも１個、前記風圧中心位置よりも下側に少なくとも１個設けることを特徴とする片持式垂直軸風車。
【請求項３】
前記内輪側固定柱の自由端側に発電機が設けられることを特徴とする請求項１または２に記載の片持式垂直軸風車。
【請求項４】
前記外輪側回転体と前記発電機との間に、前記外輪側回転体の回転トルクを前記発電機に伝達する磁気式カップリングが設けられることを特徴とする請求項３に記載の片持式垂直軸風車。
【請求項５】
複数のブレードを有し、風力により回転トルクを発生する外輪側回転体と、
一方の端が外部に拘束されない自由端で他方の端が固定端である１本の内輪側固定柱と、
前記外輪側回転体と前記内輪側固定柱との間に装着され、内輪側固定柱上で前記外輪側回転体を支える複数の軸受と、
前記外輪側回転体に連結され、前記内輪側固定柱の内部を自由端から固定端方向に貫通して軸端部分が風車の出力軸端機能を担う円柱または中空円筒状のトルク伝達軸とを備えたことを特徴とする片持式垂直軸風車。
【請求項６】
前記内輪側固定柱は内部空間を有する架台の上に搭載され、発電機は前記架台下の内部空間で基礎上に据え付けられ、発電機入力軸が前記内輪側固定柱の内部から架台内部空間に延びた前記トルク伝達軸と直接または間接的に連結していることを特徴とする請求項５に記載の片持式垂直軸風車。
【請求項７】
前記トルク伝達軸の上端はフレキシブル継ぎ手を介して前記風車回転体と連結されていることを特徴とする請求項６に記載の片持式垂直軸風車。
【請求項８】
前記トルク伝達軸の振れを抑えて回転位置をガイドするためのトルク伝達軸用軸受を前記トルク伝達軸外周に設けたことを特徴とする請求項５乃至７のいずれかに記載の片持式垂直軸風車。
【請求項９】
複数のブレードを有し、風力により回転トルクを発生する外輪側回転体と、
一方の端が外部に拘束されない自由端で他方の端が固定端である1本の内輪側固定柱と、
前記外輪側回転体と前記内輪側固定柱との間に装着され、内輪側固定柱上で前記外輪側回転体を支える複数の軸受と、
前記外輪側回転体に連結され、前記内輪側固定柱の内部を自由端から固定端方向に貫通して軸端部分が風車の出力軸端機能を担う円柱または中空円筒状のトルク伝達軸とを備え、
前記軸受を、前記外輪側回転体に水平方向の風力が作用する風圧中心位置よりも上側に少なくとも１個、前記風圧中心位置よりも下側に少なくとも１個設けることを特徴とする片持式垂直軸風車。
【請求項１０】
前記内輪側固定柱は内部空間を有する架台の上に搭載され、発電機は前記架台下の内部空間で基礎上に据え付けられ、発電機入力軸が前記内輪側固定柱の内部から架台内部空間に延びた前記トルク伝達軸と直接または間接的に連結していることを特徴とする請求項９に記載の片持式垂直軸風車。
【発明の詳細な説明】
【技術分野】
【０００１】
本発明は、垂直軸風車の回転支持構造並びに回転トルクの伝達構造に関する。
【背景技術】
【０００２】
揚力型ブレードで風を受ける垂直軸風車には曲線翼を持つダリウス型風車と直線翼ダリウス型風車すなわち直線翼型垂直軸風車があり、これら垂直軸風車は水平軸プロペラ型風車と同じく原理的には出力性能の優れた揚力形原理で作動する風車であり、風向を選ばない点や小型化あるいは都市部用途に適した長所を有する。垂直軸風車のロータの支持構造としては、とくに直線翼風車では設置に好都合な片持構造すなわち風車回転体を支える固定支柱の一端が自由端で他端が固定端である片持式垂直軸風車が存在する。大型の曲線翼ダリウス風車においては、風車最上部の回転軸の内側中心部に静止軸を有してこの静止軸に他端が地上に繋留されているケーブルを四方からつないで引っ張ることによって風車を垂直に支えている、即ち風車の上下がそれぞれ固定支持されているもの（両持式）が多く、ほかに小型の曲線翼ダリウス風車で直線翼風車と同じく片持構造の固定支柱で回転体を支えているものがある。当発明は、このような片持式垂直軸風車の回転体の具体的な支持構造とそれに伴う回転トルク伝達機構に関して従来の技術よりも優れた解決策を提供するものである。【０００３】
従来、垂直軸回転型のサボニウス型風車においてその上端および下端の回転面上でかつ、同風車の受風面に沿って回転軸を通る支持フレームとサボニウス翼と十分離れた位置にその支持フレームによって上下を支持された揚力利用の翼とで構成され、回転軸には発電機設置したことを特徴とする風車が知られている（例えば、特許文献１参照）。【０００４】
また従来、発電機に連結連動される回転軸に取付けられた直線翼型風車と、この回転軸に回転自在に取付けられて小さい風力で駆動トルクを発生する起動用風車と、起動用風車と直線翼型風車との間に介在されて起動用風車の回転を一方向にのみ直線翼型風車に伝達する連結手段とを具備し、この連結手段により、低速回転時に起動風車の駆動トルクを直線翼型風車に伝達し、直線翼型風車の回転速度が起動用風車を越えた時に直線翼型風車を起動用風車から切り離すように構成したことを特徴とする小型風力発電装置が知られている（例えば、特許文献２参照）。【０００５】
また、大型のダリウス型風車では、風車頭頂部を四方からケーブルで牽引し風車からかなり離れた位置にケーブル端を固定して風車が倒れぬように垂直に支えている（例えば、非特許文献１参照）。
【特許文献１】特開平１１−２９４３１３号公報  （第１−２ページ、第１図）
【特許文献２】特開平１１−２０１０２０号公報  （第１−３ページ、第２図）
【非特許文献１】David A.Spera, Wind turbine technology, Figure 2-7, ASME Press 1994
【発明の開示】
【発明が解決しようとする課題】
【０００６】
特許文献１に記載のハイブリッド風車発電方式では、比較的低い高さのサボニウス型風車を中心に、その上端および下端の回転面上に、回転軸を通り受風面に沿って左右対称に伸びた二本の支持フレームを設置し、２本の支持フレームの両端にプロペラ型の揚力利用の翼を回転軸と並行に垂直に設置し、翼は回転円の外側に曲面、内側に平面が向くように配置している。【０００７】
特許文献１の図２に示されるように、支持フレーム２は回転軸４に取り付けられている。支持架台６の上部には、回転軸４を回動可能に軸支するための発電機及び軸受装置５を設けてある。風車の回転軸は軸受の内輪側であるので、風車が風を受ける力点の位置と、軸受が存在する支点の位置とが離れているために、風車が受ける風や翼の揚力差によって風車の回転軸が大きく撓み、風車が振れ回るという不具合を生じていた。【０００８】
この回転軸が撓む方向は、風車の回転にともなって変化するので、１次のモードでは少なくとも１回転に１回の振動を繰り返している。揚力形の風車の回転体は、風速の２倍から１０倍程度の先端速度で回転する。この振動数は、風車の大きさや振動モードによっても異なるが、１次のモードだけに注目してみても０〜２０Ｈｚの範囲となるので、構造物の固有振動数と共振する可能性が高い。風車が共振した場合には、異常な振動や騒音の原因となるだけでなく、風車の構造物自体や回転軸、又は軸受等が繰返し荷重によって破損する可能性があるなど、耐久性に悪影響を及ぼすこととなる。【０００９】
また、回転体が比較的高速で回る際に、風力や回転体のアンバランスにより回転軸に撓みが発生すると、その撓んだ半径（偏心量）と角速度の二乗に比例した遠心力が回転体に加わるので、更に回転体の撓みが増大してアンバランスが増幅されるという不具合を生じていた。【００１０】
特許文献２に記載の小型風力発電装置は、たとえば民家の屋根やマンションの屋上等に設置可能な簡易型の発電装置である。特許文献２の図１に示すように小型風力発電装置は、屋根に固定されたルーフ架台１０にベアリング１０ａを介して同軸状の２重の回転軸３Ａ，３Ｂが回転自在に立設され、ステー４にステーベアリングに４ａを介して支持されている。【００１１】
特許文献２に記載の風車も回転軸は軸受の内輪であるとともに、風車が風を受ける力点の位置と、軸受が存在する支点の位置とが離れているために、風車が受ける風や翼の揚力差、遠心力によって風車の回転軸が大きく撓むという不具合を生じていた。【００１２】
特許文献２に記載の小型風力発電装置で回転軸の振れ回りを減少させようとすると、回転軸をかなり太くする設計を行なう必要があり、更に下部にある２つの軸受の距離を遠く離す必要があるため、軸の重量増大と軸長方向のスペースの増大により設置上不利となる。【００１３】
また特許文献２に記載の小型風力発電装置では、回転軸下部のルーフ架台の部分に、発電機と専用設計の動力伝達機構とを搭載しなければならず、動力伝達機構のメンテナンスや信頼性、ギヤによる騒音および設置スペースの点で不利であるという不具合を生じていた。【００１４】
このように、従来の垂直軸風車に見られる内輪側の軸回転方式では、支持アーム下側の軸受部分の軸長を長くする必要があり、発電機の設置スペースも必要であった。したがって、垂直軸風車の高さが高くなり、風車全体の曲げモーメント増大も大きな障害になっていた。それゆえ、既設の柱に追設する場合にも全高が大幅に高くなるので、柱の頭頂部に風車を追加設置することは難しく、柱の横に装置全体を抱かせる形で設置していた。この設置方法は、環境美観上劣ったものになりがちであった。【００１５】
上述のように、経年変化の問題を含めて小型風力発電装置の寿命を考慮すると、従来の構造では根本的な改善が難しいという不具合を生じていた。【００１６】
また、非特許文献１に記載のダリウス風車においては、頭頂部を周囲からケーブルで牽引し遠方にケーブルの端を固定しなければならないため、そのための広いスペースを必要とし且つ現地の景観に悪影響を及ぼすという問題があった。【００１７】
そこで本発明は上記従来の状況に鑑み、回転軸に生ずる繰返し荷重を減らすことが可能な片持式垂直軸風車を提供することを目的としている。また本発明は、安定して運転し得る高度の振動安定性を有し、且つ大きな騒音を発生するなど付随問題の少ない小型の片持式垂直軸風車を提供することを目的としている。
【課題を解決するための手段】
【００１８】
上記課題を解決するために本発明に係る片持式垂直軸風車は、複数のブレードを有し、風力により回転トルクを発生する外輪側回転体と、一方の端が外部に拘束されない自由端で他方の端が固定端である１本の内輪側固定柱と、外輪側回転体と内輪側固定柱との間に装着され、内輪側固定柱上で外輪側回転体を支える複数の軸受とを備えたことを特徴とするものである。【００１９】
また、本発明に係る片持式垂直軸風車は、複数のブレードを有し、風力により回転トルクを発生する外輪側回転体と、一方の端が外部に拘束されない自由端で他方の端が固定端である１本の内輪側固定柱と、外輪側回転体と内輪側固定柱との間に装着され、内輪側固定柱上で外輪側回転体を支える複数の軸受とを備え、前記軸受を、外輪側回転体に水平方向の風力が作用する風圧中心位置よりも上側に少なくとも１個、該風圧中心位置よりも下側に少なくとも１個設けることを特徴とするものである。【００２０】
本発明においては、風力により回転トルクを発生する外輪側回転体と、一方の端が外部に拘束されない自由端で他方の端が固定端である１本の内輪側固定柱と、外輪側回転体と内輪側固定柱との間に装着され、内輪側固定柱上で外輪側回転体を支える複数の軸受を備え、例えば軸受を外輪側回転体に水平方向の風力が作用する風圧中心位置よりも上側に少なくとも１個、該風圧中心位置よりも下側に少なくとも１個設けることで、全高の低い片持式垂直軸風車を提供することが可能となり、更に回転機構全体の振動問題の発生を大幅に減少させることにより振動安定性と耐久性の優れた風力発電機を人々の生活圏に近い場所に設置することが可能となる。【００２１】
また、固定軸（固定柱）を軸受の内輪側とすることによって、固定軸に作用する荷重がほぼ一方向の荷重になるので振動の少ない安定した小型の風力発電機を提供することが可能となる。【００２２】
また、片持式の内輪側固定柱の開放端側に発電機を設けることができるので、風車下部の回転軸側面に機械的問題の生じ易いピニオン・増速歯車を設ける必要がなくなるだけでなく、回転軸を下方に長く延長する必要がなくなり自由な意匠デザインを選ぶことが可能になる。【００２３】
また、外輪側回転体の回転トルクを発電機に伝達するカップリングに磁気式のカップリングが設けられることで、外輪側回転体の回転軸と内輪側固定柱位置との芯ずれを大きく許容し回転運動に伴う軸受などへの衝撃力と振動を大幅に軽減することが可能となる。【００２４】
また、上記課題を解決するために本発明に係る片持式垂直軸風車は、複数のブレードを有し、風力により回転トルクを発生する外輪側回転体と、一方の端が外部に拘束されない自由端で他方の端が固定端である1本の内輪側固定柱と、外輪側回転体と内輪側固定柱との間に装着され、内輪側固定柱上で外輪側回転体を支える複数の軸受と、外輪側回転体に連結され、内輪側固定柱の内部を自由端から固定端方向に貫通して軸端部分が風車の出力軸端機能を担う円柱または中空円筒状のトルク伝達軸とを備えたことを特徴とするものである。【００２５】
また、本発明に係る片持式垂直軸風車は、複数のブレードを有し、風力により回転トルクを発生する外輪側回転体と、一方の端が外部に拘束されない自由端で他方の端が固定端である1本の内輪側固定柱と、外輪側回転体と内輪側固定柱との間に装着され、内輪側固定柱上で外輪側回転体を支える複数の軸受と、外輪側回転体に連結され、内輪側固定柱の内部を自由端から固定端方向に貫通して軸端部分が風車の出力軸端機能を担う円柱または中空円筒状のトルク伝達軸とを備え、軸受を、外輪側回転体に水平方向の風力が作用する風圧中心位置よりも上側に少なくとも１個、該風圧中心位置よりも下側に少なくとも１個設けることを特徴とするものである。【００２６】
本発明においては、風力により回転トルクを発生する外輪側回転体と、一方の端が外部に拘束されない自由端で、他方の端が固定端である１本の内輪側固定柱と、外輪側回転体と内輪側固定柱との間に装着され、内輪側固定柱上で外輪側回転体を支える複数の軸受と、外輪側回転体に連結され、内輪側固定柱の内部を自由端から固定端方向に貫通して軸端部分が風車の出力軸端機能を担う円柱または中空円筒状のトルク伝達軸とを備え、例えば軸受を外輪側回転体に水平方向の風力が作用する風圧中心位置よりも上側に少なくとも１個、該風圧中心位置よりも下側に少なくとも１個設ける。また、内輪側固定柱は内部空間を有する架台の上に搭載され、発電機は前記架台下の内部空間で基礎上に据え付けられ、発電機入力軸が内輪側固定柱の内部から架台内部空間に延びたトルク伝達軸と直接または間接的に連結して、また、トルク伝達軸の上端はフレキシブル継ぎ手を介して前記風車回転体と連結されて、また、トルク伝達軸の振れを抑えて回転位置をガイドするためのトルク伝達軸用軸受を前記トルク伝達軸外周に設けた。【００２７】
これにより、発電機を風車の外輪側回転体の回転軸と同心円を維持しつつ外輪側回転体の真下にしかも基礎の上に直接設置することができ、そのため、回転体真下の自由なスペースに発電機ならびに増速機を設けることができ、大きさとレイアウトを自由に設計することが可能になりしかも振動を容易に抑制でき、発電機の大型化が容易になるとともに自由度の高い意匠デザインを実現する可能性が広がる。また、風圧中心位置を跨いだ位置、例えば外輪側回転体の上下２個所に軸受を配するので、風車の軸を下方へ長く伸ばす必要がなく、また軸を振動させる荷重と曲げモーメントの小さな安定した運転を容易に維持することが可能となる。【００２８】
また、発電機は地面に設置された架台の中に配置されるため、風車回転中心と増速機と発電機を内輪側固定柱と干渉しあうことなく一軸上にレイアウトすることができ、内輪側固定柱の基礎は増速機および発電機に干渉されずに自由に広げて強度の高い内輪側固定柱、およびその基礎の設計を容易に実現でき、しかも全体をシンメトリックに且つシンプルな外観に設計することが可能となる。【００２９】
また、トルク伝達軸は一端が外輪側回転体と回転中心軸を互いに共有した位置（上端）でフレキシブル継ぎ手を介して連結したあと内輪側固定柱の内部を軸方向に貫通して他端が出力軸端を形成しているので、外輪側回転体とトルク伝達軸の間の芯ずれに対する吸収力が著しく増加することが可能となる。【００３０】
また、トルク伝達軸を中空円筒状にすることで、トルク伝達軸の重量を軽減し且つ芯ずれに対する芯ずれ吸収力が増すことが可能となる。【００３１】
また、トルク伝達軸の振れを抑えて回転位置をガイドするためのトルク伝達軸用軸受をトルク伝達軸の外周に設けたので、トルク伝達軸は大きく振れ回らずに軸受のクリアランス範囲内で安定に回転することが可能となる。
【発明の効果】
【００３２】
本発明によれば、片持式垂直軸風車は、外輪側回転体と、内輪側固定柱と、外輪側回転体を支える複数の軸受とを備え、これらの軸受を外輪側回転体に水平方向の風力が作用する風圧中心位置よりも上側に少なくとも１個、該風圧中心位置よりも下側に少なくとも１個設けるので、垂直軸風車自体の全高を低く保つことが可能となるとともに、回転軸に生ずる繰返し荷重が減少し、振動安定性が良好となる。また、風とロータアンバランス荷重を受け止める重要部品である固定軸に作用する荷重は、風向とほぼ反対側の一方向の荷重になるので、振動の発生を大幅に減少させることができる。【００３３】
また、内輪側の軸を固定軸とすることが可能となり、この内輪側固定柱を撓みの少ない断面係数の大きな太い寸法に設定することが容易に可能となるので、強度上でも振動の安定性の上でもさらなる良好な構造となる。また、これにより内輪側固定柱を中空構造とすることが可能となるので、発電機に接続する電力線や各種の制御線を内輪側固定柱の内部に配線することができる。【００３４】
また、外輪側回転体のスリーブは、風圧中心位置を跨いだ位置、例えば外輪側回転体の上下２個所に少なくとも２つの軸受で支えられるために軸の歪みが極めて小さくなり、固有振動数も高くなり、振れ回りなどによる大振動を起こす可能性を解消することができる。【００３５】
また、片持式の内輪側固定柱の開放端側に発電機を設けたので、風車回転軸下方に伝達効率の低下や騒音の発生源となり易いギヤとピニオンから成る歯車伝達機構を用いる必要がなくなる。また、軸を下方へ伸ばす必要がなくなり垂直軸風車の全高を低くすることができる。【００３６】
また、外輪側回転体の回転トルクを発電機に伝達するカップリングに磁気式のカップリング設けられることで、カップリングの入出力両軸間の芯ずれの許容度を他の形式に較べて特に大きくすることが可能となり、伝達キャップや増速機又は発電機軸受に対して芯ずれによる反力から生まれる負荷が過大にかかることなく、ほぼ完全に回転のトルクのみを伝達することができる。【００３７】
また本発明によれば、片持式垂直軸風車は、外輪側回転体と、内輪側固定柱と、外輪側回転体を支える複数の軸受と、円柱または中空円筒状のトルク伝達軸とを備え、例えば軸受を外輪側回転体に水平方向の風力が作用する風圧中心位置よりも上側に少なくとも１個、該風圧中心位置よりも下側に少なくとも１個設けることで、発電機を風車の外輪側回転体の回転軸と同心円を維持しつつ外輪側回転体の真下にしかも基礎の上に直接設置することができ、そのため、回転体真下の自由なスペースに発電機ならびに増速機を設けることができ、大きさとレイアウトを自由に設計することが可能になりしかも振動を容易に抑制でき発電機の大型化が容易になるとともに自由度の高い意匠デザインを実現する可能性が広がる。また、風圧中心位置を跨いだ位置、例えば外輪側回転体の上下２個所に軸受を配するので、風車の軸を下方へ長く伸ばす必要がなく、また軸を振動させる荷重と曲げモーメントの小さな安定した運転を容易に維持することができる。【００３８】
また、発電機は地面に設置された架台の中に配置されるため、風車回転中心と増速機と発電機を内輪側固定柱と干渉しあうことなく一軸上にレイアウトすることができ、内輪側固定柱の基礎は増速機および発電機に干渉されずに自由に広げて強度の高い内輪側固定柱、およびその基礎の設計を容易に実現でき、しかも全体をシンメトリックに且つシンプルな外観に設計することができる。【００３９】
また、トルク伝達軸は一端が外輪側回転体と回転中心軸を互いに共有した位置（上端）でフレキシブル継ぎ手を介して連結したあと内輪側固定柱の内部を軸方向に貫通して他端が出力軸端を形成しているので、外輪側回転体とトルク伝達軸の間の芯ずれに対する吸収力が著しく増加することができる。【００４０】
また、トルク伝達軸を中空円筒状にすることで、トルク伝達軸の重量を軽減し且つ芯ずれに対する芯ずれ吸収力が増すことができる。【００４１】
また、トルク伝達軸の振れを抑えて回転位置をガイドするためのトルク伝達軸用軸受をトルク伝達軸の外周に設けたので、トルク伝達軸は大きく振れ回らずに軸受のクリアランス範囲内で安定に回転することができる。
【図面の簡単な説明】
【００４２】
【図１】第１の実施の形態の片持式垂直軸風車の構成を示す部分破断斜視図である。
【図２】第１の実施の形態の片持式垂直軸風車１０の構成を示す断面図である。
【図３】回転軸に作用する風力についての試算結果を記載した図である。
【図４】第２の実施の形態の片持式垂直軸風車１０Ａの構成を示す断面図である。
【図５】フレキシブル継ぎ手を用いた他の連結例を示す図である。
【符号の説明】
【００４３】
８    ポール
１０,１０Ａ  片持式垂直軸風車
１２  装着部
１４,３２  内輪側固定柱
１６  発電機
１７  外輪側回転体
１８  ブレード
２０  支持アーム
２２,３１  外輪スリーブ
２４  トルク伝達キャップ
２６  増速機
２８  カップリング
３０ａ，３０ｂ，３０ｃ  軸受
３３  フレキシブル継ぎ手
３４  トルク伝達軸
３５  架台
３６  ダストシール
３７  トルク伝達軸用軸受
７０…回転軸
【発明を実施するための最良の形態】
【００４４】
以下、本発明の第１の実施の形態の片持式垂直軸風車について説明する。図１は、片持式垂直軸風車１０の構成を示す部分破断斜視図である。図２は、片持式垂直軸風車１０の構成を示す断面図である。【００４５】
図１及び図２に示すように垂直軸風車１０には、電柱その他のポール８に装着する装着部１２と、下端が装着部１２に固定され軸受３０ａ，３０ｂ，３０ｃを介して垂直軸風車１０の外輪側回転体１７を支持する片持式の内輪側固定柱１４と、この内輪側固定柱１４の開放端側に設けた発電機１６と、風力により回転トルクを発生する外輪側回転体１７とを設けてある。 【００４６】
外輪側回転体１７には、風速を揚力に変換して回転トルクを生じるブレード１８と、ブレード１８を上下で支える流線形断面の支持アーム２０と、支持アーム２０を取り付ける外輪スリーブ２２と、外輪スリーブ２２の回転トルクを発電機１６に伝達するトルク伝達キャップ２４とを設けてある。
同図に示す「Ｇ」は、外輪側回転体１７が風を受けた時に加わる力の平均位置（風圧中心と呼ぶ。）を示す。【００４７】
このような構成により、内輪側固定柱１４は回転しないので、慣性モーメントなどを気にせずに内輪側固定柱１４を撓みの少ない断面係数の大きな太い寸法に設計することが容易に可能である。これにより内輪側固定柱１４を中空構造とすることが可能（図２参照）となるので、発電機１６に接続する電力線や各種の制御線を内輪側固定柱１４の内部に配線することが可能となる。【００４８】
また、外輪側回転体１７の外輪スリーブ２２は、風圧中心位置を跨いだ２箇所の軸受（例えば軸受３０ａ，３０ｂ，３０ｃ）でラジアル方向の力を支えられるために外輪スリーブ２２の歪みが極めて小さくなり、固有振動数も高く、振れ回りなどによる大振動を起こす可能性が減少する。【００４９】
図１及び図２に示す例では、発電機１６の入力軸に増速機２６を取り付けてあり、外輪側回転体１７の回転による発電電圧を高くするように調節している。伝達キャップ２４と増速機２６の間には、外輪側回転体１７の回転トルクを増速機２６を介して発電機１６に伝達する機能を有するとともに、両軸間のずれや傾き、距離の変動を吸収するフレキシブル型のカップリング２８を設けてある。カップリンク２８は、ゴム、バネ等の弾性体やオルダム式、回し金式を用いた接触式のカップリングを用いてもよいし、磁力を用いた磁気式カップリング等の非接触式のカップリングを用いてもよい。【００５０】
従来の垂直軸風車では、発電機を風車ロータの下方に設置し、歯車伝達機構を介して風車ロータの回転トルクを伝達している例が多い。本発明のように、回転体を外輪側にする構造では、片持構造の内輪側固定柱１４を外輪側回転体１７の上部まで貫通させることが可能なので、内輪側固定柱１４の先端（上端）に発電機１６とユニット型の増速機２６とを無理なく配置する設計を行なうことが可能となる。また、発電機１６や増速機２６、カップリング２８を覆うカバーは、回転トルクを伝達する伝達キャップ２４がそのカバーの機能を併せて受け持つことが可能となる。【００５１】
なお、発電機を軸受の下方に設置しようとする場合には、外輪側回転体にギヤを取付けるとともに発電機側にピニオンギヤを取付け、更にこれらの伝達機構を覆うカバー類や防水構造を設ける必要がある。前記ギヤとピニオンから成る歯車伝達機構は、伝達効率の低下や騒音の発生源となる可能性が高い構造である。【００５２】
また、特に磁気式カップリングを用いることによって、カップリング用のディスクがカップリング機構本体と直接接触することなく空隙を保ちながら磁力によって回転運動を増速機２６側へ伝達するので、カップリングの入出力両軸間の芯ずれの許容度が大きく、伝達キャップ２４や増速機又は発電機軸受に対して芯ずれによる反力から生まれる負荷が過大にかかることなく、ほぼ完全に回転のトルクのみを伝達することが可能となる。外輪側回転体１７に発生するトルク以外の力とモーメントは、全て軸受３０ａ，３０ｂ，３０ｃによって支持される。【００５３】
内輪側固定柱１４と外輪スリーブ２２との間には、軸受３０ａ，３０ｂ，３０ｃを設け、内輪側固定柱１４は外輪スリーブ２２を回動可能に支持している。外輪スリーブ２２は、外輪側回転体１７全体の重量とダイナミックな力およびモーメントの全てを受けながら 、内輪側固定柱１４の外周を回転する。【００５４】
図１及び図２に示す例では、軸受３０ａ，３０ｂをラジアル荷重とスラスト荷重の両方の荷重を支えることが可能なアンギュラ軸受を背面合わせで使用しているが、本発明はこの組合せに限定されるものではなく、円錐ころ軸受を用いても良いし、ラジアル軸受及びスラスト軸受を独立して設けるようにしてもよい。また図２に示す例では、軸受３０ｃにラジアル荷重を支えることが可能な玉軸受を使用しているが、本発明は玉軸受に限定するものではない。また図１に示す例では、軸受３０ａの上方にダストシール３６を設け、軸受３０ａに対する塵埃の混入や水分の混入を防止している。【００５５】
図１及び図２に示すように本発明では、垂直軸風車１０の外輪側回転体１７（回転体）に風力が作用する風圧中心位置Ｇを跨いだ位置に、ラジアル軸受としての機能を有する外輪側回転体１７の軸受３０ａ，３０ｂ，３０ｃを設けている。この構造を採用することによって、風力が作用することによる外輪側回転体１７の撓みと、その撓みによる振れ回りを大幅に減少させることが可能となり、安定な外輪側回転体１７の支持系を実現することができる。したがって、外輪側回転体１７の振動や、回転機構全体の共振や騒音の発生を大幅に減少させることが可能である。【００５６】
上記軸受３０ａ，３０ｂ及び軸受３０ｃの間隔は、好ましくは互いに少なくも軸受内径の５倍以上距離を十分に離して配置するとよい。また、垂直軸風車１０の外輪側回転体１７（回転体）に風力が作用する風圧中心位置Ｇにラジアル軸受を設けることによって、同様の作用、効果を得ることも可能である。【００５７】
図３に、回転軸に作用する風力についての試算結果を記載する。例えば、２枚翼風車のブレードの翼弦長が０．２ｍ、ブレードのスパンが１．８ｍの場合であって、回転するブレードにある一方向から風速（Ｖ＝１２ｍ／ｓ）の風を受けた場合（ブレードの翼面方向の抵抗係数ＣＤ≒２とした場合）には、１枚のブレードは１回転する間に１度、約６５Ｎの抗力を受け、更に１８０度回転したときに反対方向の力は−６５Ｎの抗力を受ける。２枚目のブレードも単純化して言えば同様の抗力を受けるので、２枚のブレード合計では片側方向に合計約１３０Ｎの荷重を受けていることになる。風車が一回転すると、軸回転型の風車の回転軸にはその＋１３０Ｎと−１３０Ｎの大きな繰返し変動荷重が作用し、この荷重の変動が回転軸７０の振れ回りの原因となる。【００５８】
このように本実施の形態においては、複数のブレード１８を有し、風力により回転トルクを発生する外輪側回転体１７と、上端が自由端で下端が固定端である内輪側固定柱１４と、外輪側回転体１７と内輪側固定柱１４との間に設けられた軸受３０ａ，３０ｂ，３０ｃとを備え、軸受３０ａ，３０ｂ，３０ｃは、外輪スリーブ２２の上下端の２個所に設けられる。また、内輪側固定柱の上端に発電機が設けられ、外輪側回転体１７と発電機１６との間に、外輪側回転体１７の回転トルクを発電機１６に伝達する磁気式カップリング２８が設けられる。【００５９】
これにより、垂直軸風車自体の全高を低く保つことが可能となるとともに、回転軸に生ずる繰返し荷重が減少し、振動安定性が良好となる。また、風とロータアンバランス荷重を受け止める重要部品である固定軸に作用する荷重は、風向とほぼ反対側の一方向の荷重になるので、振動の発生を大幅に減少させることができる。【００６０】
また、内輪側固定柱１４を撓みの少ない断面係数の大きな太い寸法に設定することが容易にできるので、強度上でも振動の安定性の上でもさらなる良好な構造となる。また、これにより内輪側固定柱１４を中空構造とすることが可能となるので、発電機１６に接続する電力線や各種の制御線を内輪側固定柱１４の内部に配線することができる。【００６１】
また、外輪側回転体１７のスリーブ２２は、風圧中心位置を跨いだ２つの位置に軸受３０ａ，３０ｂ，３０ｃで支えられるために軸の歪みが極めて小さくなり、固有振動数も高くなり、振れ回りなどによる大振動を起こす可能性が少なくなる。【００６２】
また、磁気式のカップリング２８を用いるため、カップリングの入出力両軸間の芯ずれの許容度を他の形式に較べて特に大きくすることが可能となり、伝達キャップや増速機２６又は発電機１６の軸受に対して芯ずれによる反力から生まれる負荷が過大にかかることなく、ほぼ完全に回転のトルクのみを伝達することができる。【００６３】
以下、本発明の第２の実施の形態の片持式垂直軸風車について説明する。図４は、片持式垂直軸風車１０Ａの構成を示す断面図である。【００６４】
図４に示すように、片持式垂直軸風車１０Ａは、ブレード１８、支持アーム２０および外輪スリーブ３１からなる外輪側回転体１７と、外輪側回転体１７を支持する片持式の内輪側固定柱３２と、外輪側回転体１７と内輪側固定柱３２との間に設けられた軸受３０ａ，３０ｂ，３０ｃと、トルク伝達軸３４と、架台３５と、発電機１６と、増速機２６と、カップリング２８と、トルク伝達軸用軸受３６とを備えている。【００６５】
ブレード１８は、支持アーム２０を介して外輪スリーブ３１に装着されている。この例では、支持アーム２０は上、中、下の３つの位置に設けられている。外輪スリーブ３１は、軸受３０ａ，３０ｂ，３０ｃを介して内輪側固定柱３２に支持されている。軸受３０ａ，３０ｂ，３０ｃは、外輪側回転体１７に風力が作用する風圧中心位置Ｇを跨いだ位置、即ち軸受３０ａ，３０ｂは外輪スリーブ３１の上部に、軸受３０ｃは外輪スリーブ３１の下部に設けられる。【００６６】
内輪側固定柱３２は、中空円筒状で、上端が自由端で下端が固定端である。この内輪側固定柱３２の下端は架台３５に固定されている。【００６７】
また、トルク伝達軸３４は、中空円筒状に形成され、上端でフレキシブル継ぎ手３３を介して外輪スリーブ３１に連結されている。このトルク伝達軸３４は、内輪側固定柱の内部を自由端から固定端方向に貫通して架台３５の中に差し込み、この下端の軸端部分が風車の出力軸端機能を担う。またトルク伝達軸３４の下端はトルク伝達軸用軸受３６によりガイドされている。【００６８】
増速機２６と発電機１６は、架台３５の内部の基礎上に配置され、そして、カップリング２８を介してトルク伝達軸３４の下端と接続されている。外輪側回転体１７が発生した回転トルクはトルク伝達軸３４を介して発電機１６へ伝送される。【００６９】
図５は、フレキシブル継ぎ手３３を用いた他の連結例を示す図である。図５に示すように、連結トルク伝達軸３４と外輪スリーブ３１を連結する際に、トルク伝達軸３４の上端は、ネジでフレキシブル継ぎ手３３の中央部に固定される。また、外輪スリーブ３１の上端は、フランジ部が形成されており、このフランジ部はフレキシブル継ぎ手３３外周部に固定される。【００７０】
このように本実施の形態においては、風力により回転トルクを発生する外輪側回転体１７と、上端が自由端で下端が固定端である円筒状の内輪側固定柱３２と、外輪側回転体１７と内輪側固定柱３２との間に設けられた軸受３０ａ，３０ｂ，３０ｃと、上端が風車回転体と同一回転中心軸を有するように外輪側回転体１７に連結され、かつ内輪側固定柱３２の内部を軸方向に貫通して下端が出力軸端を形成する中空円筒状のトルク伝達軸３４とを備え、トルク伝達軸３４の上端はフレキシブル継ぎ手３３を介して外輪スリーブ３１に連結され、下端はトルク伝達軸用軸受３６によりガイドされている。【００７１】
これにより、発電機１６を風車の外輪側回転体１７の回転軸と同心円を維持しつつ外輪側回転体１７の真下にしかも基礎の上に直接設置することができ、そのため、回転体真下の自由なスペースに発電機１６ならびに増速機２６を設けるので、大きさとレイアウトを自由に設計することが可能になりしかも振動を容易に抑制でき発電機１６の大型化が容易になるとともに自由度の高い意匠デザインを実現する可能性が広がる。また、風圧中心位置を跨いだ位置、例えば上下に軸受を配するので、風車の軸を下方へ長く伸ばす必要がなく、また軸を振動させる荷重と曲げモーメントの小さな安定した運転を容易に維持することができる。【００７２】
また、発電機１６は地面に設置された架台３５の中に配置されるため、風車回転中心と増速機２６と発電機１６を内輪側固定柱３２と干渉しあうことなく一軸上にレイアウトすることができ、内輪側固定柱３２の基礎は増速機２６および発電機１６に干渉されずに自由に広げて強度の高い内輪側固定柱３２、およびその基礎の設計を容易に実現でき、しかも全体をシンメトリックに且つシンプルな外観に設計することができる。【００７３】
また、トルク伝達軸３４は一端が外輪側回転体１７と回転中心軸を互いに共有した位置でフレキシブル継ぎ手３３を介して連結したあと内輪側固定柱３２の内部を軸方向に貫通して他端が出力軸端を形成しているので、外輪側回転体１７とトルク伝達軸３４の間の芯ずれに対する吸収力が著しく増加することができる。【００７４】
また、トルク伝達軸３４を中空円筒状にしたことで、トルク伝達軸３４の重量を軽減し且つ芯ずれに対する芯ずれ吸収力が増すことができる。【００７５】
また、トルク伝達軸３４の振れを抑えて回転位置をガイドするためのトルク伝達軸用軸受３６をトルク伝達軸３４の外周に設けたので、トルク伝達軸３４は大きく振れ回らずに軸受３０ａ，３０ｂ，３０ｃのクリアランス範囲内で安定に回転することができる。【００７６】
なお、上述実施の形態においては、内輪側固定柱１４と外輪スリーブ２２との間（または内輪側固定柱３２と外輪スリーブ３１との間）には、２つの軸受３０ａ，３０ｂが上部に設けられた構成としたが、これに限定されるものではない。例えば上部に１つの軸受３０ａのみを設けてもよい。【００７７】
また、上述実施の形態においては、軸受３０ａ，３０ｂ，３０ｃを外輪側回転体の上下２個所に設けたものについて説明したが、これに限定されるものではない。風圧中心位置を跨いだ他の位置に設けるようにしてもよい。【００７８】
また、上述実施の形態においては、上下２個所にラジアル軸受としての機能を有する軸受３０ａ，３０ｂ，３０ｃを用いたものについて説明したが、これに限定されるものではない。例えば、第１の実施の形態の片持式垂直軸風車１０において、上部にラジアル軸受を設け、下部にスラスト軸受を設けるようにしてもよい。また、第２の実施の形態の片持式垂直軸風車１０Ａにおいて、上部にスラスト軸受を設け、下部にラジアル軸受を設けるようにしてもよい。【００７９】
また、上述実施の形態においては、トルク伝達軸３４は、中空円筒状であるものについて説明したが、これに限定されるものではない。トルク伝達軸３４を円柱状にしてもよい。【００８０】
また、上述第１の実施の形態の片持式垂直軸風車１０においては、下端が固定端とした例について説明したが、これに限定されるものではない。【００８１】
また、図１，図２、図４は翼の形状が直線翼型になっているが、風車上部に支持ケーブルの無い片持構造であるかぎり翼の形が曲線状であっても良い。
【産業上の利用可能性】
【００８２】
本発明に係る片持式垂直軸風車は、揚力型の高い出力性能を有しながら同時に回転機構全体の振動問題を予防し高い運転安定性と信頼性ならびに耐久性を実現し、且つ都市型にはとくに重要な意匠デザイン上の自由度を与え優れた意匠デザインをも可能とするものであり、人々の生活圏に置く都市型風力発電機に非常に適した技術であるといえる。
【図１】
2005095794.tif 000002
【図２】
2005095794.tif 000003
【図３】
2005095794.tif 000004
【図４】
2005095794.tif 000005
【図５】
2005095794.tif 000006
【手続補正書】
【提出日】平成18年6月21日(2006.6.21)
【手続補正１】
【補正対象書類名】特許請求の範囲
【補正対象項目名】全文
【補正方法】変更
【補正の内容】
【書類名】請求の範囲
【請求項１】複数のブレードを有し、風力により回転トルクを発生する外輪側回転体と、
一方の端が外部に拘束されない自由端で他方の端が固定端である１本の中空構造の内輪側固定柱と、
前記外輪側回転体と前記内輪側固定柱との間に装着され、内輪側固定柱上で前記外輪側回転体を支える複数の軸受と、
前記内輪側固定柱の自由端に搭載された発電機とを備え、
前記外輪側回転体の前記固定柱自由端に対面または隣接する位置を前記回転トルクの出力端とし、前記発電機の回転主軸が前記出力端と直結または増速機を介して連結され、前記発電機に接続する電力線が前記内輪側固定柱の内部に配置されることを特徴とする片持式垂直軸風車。
【請求項２】複数のブレードを有し、風力により回転トルクを発生する外輪側回転体と、
一方の端が外部に拘束されない自由端で他方の端が固定端である１本の中空構造の内輪側固定柱と、
前記外輪側回転体と前記内輪側固定柱との間に装着され、内輪側固定柱上で前記外輪側回転体を支える複数の軸受と、
前記内輪側固定柱の自由端に搭載された発電機とを備え、
前記外輪側回転体の前記固定柱自由端に対面または隣接する位置を前記回転トルクの出力端とし、前記発電機の回転主軸が前記出力端と直結または増速機を介して連結され、前記発電機に接続する電力線が前記内輪側固定柱の内部に配置され、
前記軸受を、前記外輪側回転体に水平方向の風力が作用する風圧中心位置よりも上側に少なくとも１個、前記風圧中心位置よりも下側に少なくとも１個設けることを特徴とする片持式垂直軸風車。
【請求項３】（削除）
【請求項４】前記外輪側回転体と前記発電機との間に、前記外輪側回転体の回転トルクを前記発電機に伝達する磁気式カップリングが設けられることを特徴とする請求項１または２記載の片持式垂直軸風車。
【請求項５】複数のブレードを有し、風力により回転トルクを発生する外輪側回転体と、
一方の端が外部に拘束されない自由端で他方の端が固定端である１本の内輪側固定柱と、
前記外輪側回転体と前記内輪側固定柱との間に装着され、内輪側固定柱上で前記外輪側回転体を支える複数の軸受と、
前記外輪側回転体の前記固定柱自由端に対面または隣接する位置を前記回転トルクの出力端とし、この出力端に連結され、前記内輪側固定柱の内部を自由端から固定端方向に貫通して軸の下端部分が風車の出力軸端機能を担う円柱または中空円筒状のトルク伝達軸とを備えることを特徴とする片持式垂直軸風車。
【請求項６】前記内輪側固定柱は内部空間を有する架台の上に搭載され、発電機は前記架台下の内部空間で基礎上に据え付けられ、発電機入力軸が前記内輪側固定柱の内部から架台内部空間に延びた前記トルク伝達軸と直接または間接的に連結していることを特徴とする請求項５に記載の片持式垂直軸風車。
【請求項７】前記トルク伝達軸の上端はフレキシブル継ぎ手を介して前記外輪側回転体の前記出力端と連結されていることを特徴とする請求項６に記載の片持式垂直軸風車。
【請求項８】前記トルク伝達軸の振れを抑えて回転位置をガイドするためのトルク伝達軸用軸受を前記トルク伝達軸外周に設けたことを特徴とする請求項５乃至７のいずれかに記載の片持式垂直軸風車。
【請求項９】複数のブレードを有し、風力により回転トルクを発生する外輪側回転体と、
一方の端が外部に拘束されない自由端で他方の端が固定端である１本の内輪側固定柱と、
前記外輪側回転体と前記内輪側固定柱との間に装着され、内輪側固定柱上で前記外輪側回転体を支える複数の軸受と、
前記外輪側回転体の前記固定柱自由端に対面または隣接する位置を前記回転トルクの出力端とし、この出力端に連結され、前記内輪側固定柱の内部を自由端から固定端方向に貫通して軸の下端部分が風車の出力軸端機能を担う円柱または中空円筒状のトルク伝達軸とを備え、
前記軸受を、前記外輪側回転体に水平方向の風力が作用する風圧中心位置よりも上側に少なくとも１個、前記風圧中心位置よりも下側に少なくとも１個設けることを特徴とする片持式垂直軸風車。
【請求項１０】前記内輪側固定柱は内部空間を有する架台の上に搭載され、発電機は前記架台下の内部空間で基礎上に据え付けられ、発電機入力軸が前記内輪側固定柱の内部から架台内部空間に延びた前記トルク伝達軸と直接または間接的に連結していることを特徴とする請求項９に記載の片持式垂直軸風車。
【手続補正２】
【補正対象書類名】明細書
【補正対象項目名】０００４
【補正方法】変更
【補正の内容】
【０００４】
な障害になっていた。それゆえ、既設の柱に追設する場合にも全高が大幅に高くなるので、柱の頭頂部に風車を追加設置することは難しく、柱の横に装置全体を抱かせる形で設置していた。この設置方法は、環境美観上劣ったものになりがちであった。
［００１５］  上述のように、経年変化の問題を含めて小型風力発電装置の寿命を考慮すると、従来の構造では根本的な改善が難しいという不具合を生じていた。
［００１６］  また、非特許文献１に記載のダリウス風車においては、頭頂部を周囲からケーブルで牽引し遠方にケーブルの端を固定しなければならないため、そのための広いスペースを必要とし且つ現地の景観に悪影響を及ぼすという問題があった。
［００１７］  そこで本発明は上記従来の状況に鑑み、回転軸に生ずる繰返し荷重を減らすことが可能な片持式垂直軸風車を提供することを目的としている。また本発明は、安定して運転し得る高度の振動安定性を有し、且つ大きな騒音を発生するなど付随問題の少ない小型の片持式垂直軸風車を提供することを目的としている。
【課題を解決するための手段】
［００１８］  上記課題を解決するために本発明に係る片持式垂直軸風車は、複数のブレードを有し、風力により回転トルクを発生する外輪側回転体と、一方の端が外部に拘束されない自由端で他方の端が固定端である１本の中空構造の内輪側固定柱と、前記外輪側回転体と前記内輪側固定柱との間に装着され、内輪側固定柱上で前記外輪側回転体を支える複数の軸受と、前記内輪側固定柱の自由端に搭載された発電機とを備え、前記外輪側回転体の前記固定柱自由端に対面または隣接する位置を前記回転トルクの出力端とし、前記発電機の回転主軸が前記出力端と直結または増速機を介して連結され、前記発電機に接続する電力線が前記内輪側固定柱の内部に配置されることを特徴とするものである。
［００１９］  また、本発明に係る片持式垂直軸風車は、複数のブレードを有し、風力により回転ルクを発生する外輪側回転体と、一方の端が外部に拘束されない自由端で他方の端が固定端である１本の中空構造の内輪側固定柱と、前記外輪側回転体と前記内輪側固定柱との間に装着され、内輪側固定柱上で前記外輪側回転体を支える複数の軸受と、前記内輪側固定柱の自由端に搭載された発電機とを備え、前記外輪側回転体の前記固定柱自由端に対面または隣接する位置を前記回転トルクの出力端とし、前記発電機の回転主軸が前記出力端と直結または増速機を介して連結され、前記発電機に接続する電力線が前記内輪側固定柱の内部に配置され、前記軸受を、前記外輪側回転体に水平方向の風力が作用する風圧中心位置よりも上側に少なくとも１個、前記風圧中心位置よりも下側に少なくとも１個設けることを特徴とするものである。
［００２０］  本発明においては、風力により回転トルクを発生する外輪側回転体と、一方の端が外部に拘束されない自由端で他方の端が固定端である１本の内輪側固定柱と、外輪側回転体と内輪側固定柱との間に装着され、内輪側固定柱上で外輪側回転体を支
４／１
【国際調査報告】
2005095794.tif 000007
2005095794.tif 000008
2005095794.tif 000009